(57)【要約】【課題】小形化あるいは大容量化でき、コストを低減できる硬貨入金機を提供する。【解決手段】機体11に投入された硬貨を１枚ずつ搬送して識別する。複数の特定金種は、選別部の任意選別手段で選別し、一時保留部に一時保留した後、承認指示に基づいて混合収納部36に混合収納する。複数の特定金種以外の硬貨は、選別部の複数の金種別選別孔で硬貨径に応じて選別し、一時保留部に一時保留した後、承認指示に基づいて金種別収納部37に収納する。複数の特定金種の一時保留場所および収納場所を１つにまとめ、機体11内でのスペース効率を向上させ、小形化あるいは大容量化を可能とし、また、複数の金種別選別孔を併用し、コストを低減する。複数の特定金種には、１円、５円、旧硬貨、記念硬貨が含まれる。【選択図】図１
2008299406.tif 000002
【特許請求の範囲】
【請求項１】
機体に投入された硬貨を１枚ずつ搬送して識別部により識別し、正常に識別された硬貨を選別部で選別して一時保留するとともに、収納指示に基づいて一時保留硬貨を収納する硬貨入金機において、
前記選別部に設けられ、複数の特定金種以外の硬貨を硬貨径に応じて選別する複数の金種別選別孔と、
前記金種別選別孔より搬送方向の上流位置に設けられ、前記複数の特定金種のみを任意に選別する任意選別手段と、
前記複数の金種別選別孔に対応して設けられ、前記複数の特定金種以外の硬貨を金種別に収納する複数の金種別収納部と、
前記任意選別手投に対応して設けられ、前記複数の特定金種の硬貨を混合収納する混合収納部と、
前記金種別選別孔および前記任意選別手段にそれぞれ対応して設けられ、選別された硬貨を一時保留するとともに、前記複数の金種別収納部および前記混合収納部へ収納させる複数の一時保留部と
を具備していることを特徴とする硬貨入金機。
【請求項２】
前記混合収納部は、前記複数の金種別収納部に比べて小形に設けられている
ことを特徴とする請求項１記載の硬貨入金機。
【請求項３】
前記複数の特定金種には、１円硬貨および５円硬貨が含まれる
ことを特徴とする請求項１または２記載の硬貨入金機。
【請求項４】
前記複数の特定金種には、旧硬貨および記念硬貨の少なくとも一方が含まれる
ことを特徴とする請求項１ないし３いずれか記載の硬貨入金機。
【請求項５】
前記機体の下部両側に架台部が設けられ、これら架台部間に前記複数の金種別収納部が配置され、一側の架台部に混合収納部が配置されている
ことを特徴とする請求項１ないし４いずれか記載の硬貨入金機。
【発明の詳細な説明】
【技術分野】
【０００１】
本発明は、機体に投入される硬貨を選別して収納する硬貨入金機に関する。
【背景技術】
【０００２】
従来、例えば、清涼飲料水やたばこなどの自動販売機などから回収してきた硬貨を入金処理するような場所で、硬貨入金機が用いられている。
【０００３】
この硬貨入金機は、機体に投入された硬貨を１枚ずつ識別し、正常硬貨を選別部で金種別に選別して金種別の一時保留部に保留するとともに、承認指示に基づいて一時保留硬貨を金種別の収納部に収納している。
【０００４】
選別部は硬貨を搬送しながら選別するための選別通路を備え、この選別通路にはリジェクト硬貨を排除する任意選別機構と正常硬貨を金種別に選別する金種別選別孔とが設けられている。任意選別機構は、電気的駆動手投で任意の硬貨を選別することができ、また、金種別選別孔は、硬貨の径差を利用して選別するため、搬送方向に沿って小径から大径の順に配置されている。
【０００５】
収納部は、自動販売機などから回収してきた硬貨を入金するような場所で使われる場合、回収硬貨の中に１円硬貨、５円硬貨は通常含まれていないため、１円硬貨、５円硬貨の収納部は他の金種の収納部より小形になっている（例えば、特許文献１参照。）。
【０００６】
また、選別部の選別通路に複数の任意選別機構を並べて構成し、任意の硬貨を任意の場所の任意選別機構で選別できるようにしたものもある（例えば、特許文献２参照。）。
【特許文献１】特開平１１−５３５９９号公報（第４−６頁、図１−６）
【特許文献２】特開平５−８９３１６号公報（第５−６頁、図１−３）
【発明の開示】
【発明が解決しようとする課題】
【０００７】
しかしながら、硬貨の径差を利用して金種別に選別する金種別選別孔を用いた硬貨入金機では、１円硬貨と５円硬貨の一時保留部および収納部がそれぞれ設けられるが、自動販売機などから回収してきた硬貨を入金するような場所で使われる場合、これらは通常使われることがないため、機体内でのスペース効率が悪く、硬貨入金機の小形化、大容量化の妨げとなる問題がある。
【０００８】
また、複数の任意選別機構を用いた硬貨入金機では、任意選別機構毎に駆動源を必要とするため、硬貨の径差を利用して選別する金種別選別孔に比べてコスト高となり、全ての選別場所に任意選別機構を採用したのでは、コストが高くなってしまう問題がある。
【０００９】
本発明は、このような点に鑑みなされたもので、小形化あるいは大容量化でき、コスト低減もできる硬貨入金機を提供することを目的とする。
【課題を解決するための手段】
【００１０】
請求項１記載の硬貨入金機は、機体に投入された硬貨を１枚ずつ搬送して識別部により識別し、正常に識別された硬貨を選別部で選別して一時保留するとともに、収納指示に基づいて一時保留硬貨を収納する硬貨入金機において、前記選別部に設けられ、複数の特定金種以外の硬貨を硬貨径に応じて選別する複数の金種別選別孔と、前記金種別選別孔より搬送方向の上流位置に設けられ、前記複数の特定金種のみを任意に選別する任意選別手段と、前記複数の金種別選別孔に対応して設けられ、前記複数の特定金種以外の硬貨を金種別に収納する複数の金種別収納部と、前記任意選別手投に対応して設けられ、前記複数の特定金種の硬貨を混合収納する混合収納部と、前記金種別選別孔および前記任意選別手段にそれぞれ対応して設けられ、選別された硬貨を一時保留するとともに、前記複数の金種別収納部および前記混合収納部へ収納させる複数の一時保留部とを具備しているものである。
【００１１】
請求項２記載の硬貨入金機は、請求項１記載の硬貨入金機において、前記混合収納部は、前記複数の金種別収納部に比べて小形に設けられているものである。
【００１２】
請求項３記載の硬貨入金機は、請求項１または２記載の硬貨入金機において、前記複数の特定金種には、１円硬貨および５円硬貨が含まれるものである。
【００１３】
請求項４記載の硬貨入金機は、請求項１ないし３いずれか記載の硬貨入金機において、前記複数の特定金種には、旧硬貨および記念硬貨の少なくとも一方が含まれるものである。
【００１４】
請求項５記載の硬貨入金機は、請求項１ないし４いずれか記載の硬貨入金機において、前記機体の下部両側に架台部が設けられ、これら架台部間に前記複数の金種別収納部が配置され、一側の架台部に混合収納部が配置されているものである。
【発明の効果】
【００１５】
請求項１記載の硬貨入金機によれば、複数の特定金種は、任意選別手段で選別し、一時保留部で混合保留するとともに、混合収納部で混合収納するため、複数の特定金種の一時保留場所および収納場所を１つにまとめることができ、機体内でのスペース効率が向上して小形化あるいは大容量化でき、また、複数の特定金種以外の硬貨は、複数の金種別選別孔で硬貨径に応じて選別するため、構成を簡素化でき、コストを低減できる。
【００１６】
請求項２記載の硬貨入金機によれば、請求項１記載の硬貨入金機の効果に加えて、混合収納部を複数の金種別収納部に比べて小形に設けるため、よりスペース効率が向上して小形化できる。
【００１７】
請求項３記載の硬貨入金機によれば、請求項１または２記載の硬貨入金機の効果に加えて、複数の特定金種に、１円硬貨および５円硬貨を含むため、これら１円硬貨および５円硬貨の利用が少ない例えば自動販売機などから回収された硬貨の入金に好適な硬貨入金機を提供できる。
【００１８】
請求項４記載の硬貨入金機によれば、請求項１ないし３いずれか記載の硬貨入金機の効果に加えて、複数の特定金種に、旧硬貨および記念硬貨の少なくとも一方を含むため、旧硬貨および記念硬貨を正常硬貨と区別して収納できる。
【００１９】
請求項５記載の硬貨入金機によれば、請求項１ないし４いずれか記載の硬貨入金機の効果に加えて、機体の一側の架台部のスペースを有効利用して混合収納部を配置でき、小形化できる。
【発明を実施するための最良の形態】
【００２０】
以下、本発明の一実施の形態を、図面を参照して説明する。
【００２１】
図１に、硬貨入金機の斜視図を示す。
【００２２】
図１において、11は硬貨入金機の機体で、この機体11の下部側に架台部12が設けられ、この架台部12の両側底部に床面を移動可能とする複数の車輪13が回転自在に取り付けられている。
【００２３】
機体11の上面右側には操作装置15が設置されている。この操作装置15には、暗証番号を入力するテンキーなどの各種操作キーを有する操作部16、および担当者情報などが記録されたカードを読み取るカードリーダ部17が配設されている。そして、これら操作部16およびカードリーダ部17が担当者情報を入力するＩＤ入力手段18として構成されている。さらに、操作装置15には、各種のジャーナルを印字出力するプリンタ部19、および各種情報を表示する例えば液晶表示器などのディスプレイ部20が配設されている。
【００２４】
機体11の上面中央には硬貨投入口22が開口形成されたホッパ23が設置され、このホッパ23の上面には硬貨投入口22を開閉する折り畳み式のシャッタ24が開閉可能に配設されている。
【００２５】
機体11内の上部側には、硬貨投入口22に投入された硬貨を識別して金種別に選別する硬貨入金処理部26が配設されている。この硬貨入金処理部26の位置に対応して、機体11の左側面位置には、硬貨入金処理部26から排除されるゴミなどを含む異物を収納する異物回収部27が着脱可能に取り付けられ、さらに、機体11の前面左側位置には、硬貨入金処理部26から排除されるリジェクト硬貨を受け入れて取出可能とするリジェクト口28が設けられている。このリジェクト口28の上側には、リジェクト硬貨が排除された場合に点灯表示する例えば発光ダイオードなどの表示部29が配設されている。
【００２６】
機体11の前側位置であって、硬貨入金処理部26より下側には、機体11内に投入された硬貨を硬貨入金処理部26で金種別に選別し、一時保留した後に、操作部16で返却が指示されることにより、返却処理される一時保留硬貨を受け入れる返却部31が配設されている。この返却部31は、前面に設けられた取手32によって機体11から前方へ引出可能とし、内部には返却処理される硬貨を受け入れて収納する図示しない収納箱が配置されている。収納箱は、返却部31を機体11の前方へ引き出した状態で返却部31の上側から着脱可能としている。
【００２７】
機体11の前面下部側であって、硬貨入金処理部26および返却部31より下側において、機体11の左側の架台部12に装着部34が前方へ向けて開口形成されているとともに、左右両側の架台部12間に装着部35が前方へ向けて開口形成されている。装着部34には特定金種としての１円および５円硬貨を混合収納する混合収納部36が着脱可能に配設され、また、装着部35には５０円、１０円、１００円および５００円硬貨をそれぞれ収納する金種別収納部37がそれぞれ独立して着脱可能に装着されている。
【００２８】
混合収納部36は、装着部34に対して前方へ引出可能な収納箱で構成され、前面上部には引出操作用の取手部36aが形成されている。
【００２９】
金種別収納部37としては、機体11の左側から右側に向けた順に、５０円硬貨用の１つの金種別収納部37(50)、１００円硬貨用の２つの金種別収納部37(100)、１０円硬貨用の２つの金種別収納部37(10)、５００円硬貨用の１つの金種別収納部37(500)が配置されている。これら金種別収納部37は、車輪38（図２参照）を有し、床面上を移動して装着部35に出し入れ可能とする収納庫39で構成され、全て共通構造のものが用いられている。金種別収納部37の前面上部には引出操作用の取手部37aが形成されている。収納庫39内には布製の収納袋が着脱可能に装着され、この収納袋内に硬貨が収納される。
【００３０】
これら混合収納部36および各金種別収納部37の上側には、それぞれ所定量の硬貨が収納された場合に点灯表示する例えば発光ダイオードなどの表示部40がそれぞれ配設されている。
【００３１】
なお、図１に示したように、混合収納部36を１円および５円硬貨用とするとともに、金種別収納部37を５０円、１００円、１０円および５００円硬貨用とする場合を、第１の仕様の硬貨入金機とし、また、後述するが、混合収納部36を任意の硬貨用とするとともに、金種別収納部37を１円、５０円、５円、１００円、１０円および５００円硬貨の６金種用とする場合を、第２の仕様の硬貨入金機として説明する。
【００３２】
次に、図３に、硬貨入金処理部26の平面図を示す。
【００３３】
硬貨入金処理部26は、硬貨投入口22の下方に位置してホッパ23から硬貨を受け入れる供給円盤42、およびこの供給円盤42から硬貨を受け入れる繰出円盤43、およびこの繰出円盤43から繰り出される硬貨を搬送する硬貨通路44を有している。
【００３４】
供給円盤42の周囲には、繰出円盤43へ硬貨を供給する供給口46を有する周壁47が配設されている。そして、供給円盤42は、図３矢印方向に回転駆動され、この回転による遠心力によって硬貨が周壁47に沿って移動されるとともに供給口46から繰出円盤43上へ放出供給される。なお、供給円盤42からの硬貨の供給量は、繰出円盤43上の硬貨量を図示しないセンサで検知することによって硬貨詰まりなどが生じないように適量に設定される。
【００３５】
繰出円盤43の周囲には、硬貨通路44へ硬貨を１枚ずつ繰り出すための繰出口48を有する周壁49が配設されている。この繰出口48には、繰出円盤43の上面との間に処理対象の最大厚み硬貨よりやや大きい間隔をあけて厚み規制部材50が配設されている。そして、繰出円盤43は、図３矢印方向に回転駆動され、この回転による遠心力によって硬貨が周壁49に沿って移動するとともに厚み規制部材50の下側を通じて硬貨通路44に１層１列状態で繰り出される。
【００３６】
また、硬貨通路44は、機体11の左側面に沿った硬貨識別通路52と、機体11の前面に沿った選別部としての硬貨選別通路53とを有し、これらによって略Ｌ字形の通路形状に形成されている。これら硬貨識別通路52および硬貨選別通路53は、通路底板54上で、処理対象の最大径硬貨よりやや大きい間隔をあけて配置された両側の通路側板55，56間に形成されている。
【００３７】
硬貨識別通路52および硬貨選別通路53の各上方には、通路内の硬貨を搬送する搬送ベルト57，58がそれぞれ張設されている。これら各搬送ベルト57，58は図示しない上流側のプーリと下流側のプーリ59，60との間にそれぞれ張設されているとともに、通路底板54に臨むベルト部位が処理する最小厚み硬貨よりやや小さい間隔をあけて配置されるように図示しない複数のローラによって通路底板54へ向けて押え付けられている。そして、各下流側のプーリ59，60にモータ61がそれぞれ連結され（プーリ60に連結されるモータ61のみを図示し、プーリ59に連結されるモータは図示していない）、各モータ61の駆動によって搬送ベルト57，58が回動する。なお、硬貨識別通路52では、通路側板56を基準とし、搬送ベルト57により硬貨の周縁部を通路側板56側に押し付けながら硬貨を搬送し、また、硬貨選別通路53では、通路側板55を基準とし、搬送ベルト58により硬貨の周縁部を通路側板55側に押し付けながら硬貨を搬送する。
【００３８】
硬貨識別通路52には、通路内を搬送する硬貨の正偽や金種（旧硬貨や記念硬貨なども含む）を識別する例えば材質センサやイメージセンサなどを含む識別部63が配設されている。
【００３９】
硬貨選別通路53には、搬送方向の上流側から下流側に向けて順に、この硬貨選別通路53に搬送してくる硬貨を検知するタイミングセンサ65、識別部63での識別結果およびタイミングセンサ65の検知に基づいてリジェクト硬貨を電気的駆動によって強制的に選別するリジェクト選別手段66、識別部63での識別結果およびタイミングセンサ65の検知に基づいて特定金種としての１円および５円硬貨を電気的駆動によって強制的に選別する任意選別手段67、特定金種以外の硬貨である５０円、１００円、１０円および５００円硬貨を硬貨径に応じて選別する金種別選別孔68がそれぞれ形成されている。
【００４０】
リジェクト選別手段66および任意選別手段67は、同一構造が用いられ、硬貨の搬送基準となる通路側板55を基準として通路底板54に形成されたリジェクト孔69および任意選別孔70をそれぞれ有している。図４に示すように（任意選別手段67を示すが、リジェクト選別手段66も同じ構造である）、任意選別孔70（リジェクト孔69）の下方に選別ローラ71が配設され、任意選別孔70（リジェクト孔69）の上方に搬送ベルト58を下方へ押え付ける押えローラ72が配設されている。この選別ローラ71は、図示しないステッピングモータなどのモータ73（図３参照）によって回転する回転軸71a、この回転軸71aに固定された偏心部材71b、およびこの偏心部材71bの周囲に回転自在に設けられたローラ部71cを有している。そして、図４(a)(b)に示すように、回転軸71aの回転によって偏心部材71bの大径部を上方へ向けた状態でローラ部71cの上面が通路底板54の上面と略同一となり、搬送ベルト58で搬送する硬貨（図４に符号Ｃで示す）の下面を支えて任意選別孔70（リジェクト孔69）上を通過させ、また、図４(c)(d)に示すように、回転軸71aの回転によって偏心部材71bの小径部を上方へ向けた状態でローラ部71cの上面が通路底板54より下降し、搬送ベルト58で搬送する硬貨を任意選別孔70（リジェクト孔69）内に落ち込ませて選別する。
【００４１】
金種別選別孔68は、搬送方向の上流側から下流側に向けて小径硬貨から大径硬貨の順に、５０円硬貨を選別する金種別選別孔68（50）、１００円硬貨を選別する金種別選別孔68（100）、１０円硬貨を選別する金種別選別孔68（10）、５００円硬貨を選別する金種別選別孔68（500）を有している。
【００４２】
硬貨の搬送基準となる通路側板55側には、各金種別選別孔68の側部に基準ローラ74が回転自在に軸支されている（ただし、最下流部の金種別選別孔68の側部には基準ローラ74は設けられない）。各金種別選別孔68は、金種別選別孔68の一側に臨む基準ローラ74の周面位置から金種別選別孔68の他側の孔縁までの幅が選別対象金種の直径より少し大きく形成されている。そして、金種別選別孔68上を対象金種より大径金種の硬貨が通過する際、その硬貨の両側が金種別選別孔68の両縁部に載ったまま下流側へ通過し、また、金種別選別孔68上を対象金種の硬貨が通過する際、その硬貨の一側（基準ローラ74に対して反対側）が金種別選別孔68の縁部に載らずに落下して選別される。また、各金種別選別孔68の上流側には、硬貨の通過を検知する通過検知センサ75が配設されている。
【００４３】
なお、上述した第１の仕様の硬貨入金機では、１００円硬貨を選別する金種別選別孔68（100）と１０円硬貨を選別する金種別選別孔68（10）との間、および１０円硬貨を選別する金種別選別孔68（10）と５００円硬貨を選別する金種別選別孔68（500）との間には、金種別選別孔68が設けられないが、上述した第２の仕様の硬貨入金機とで機構を共用するために、金種別選別孔68が設けられるのに相当するスペースが形成されている。また、それらスペースにも対応して基準ローラ74が設けられているが、設けなくてもよい。
【００４４】
また、各円盤42，43と周壁47，49との間の硬貨が入り込まない隙間や硬貨通路44の硬貨識別通路52に形成された硬貨が落下しない異物解除口などから投入硬貨に混入していた異物が落下する。落下した異物は、図示しない異物回収シュートを通じて異物回収部27に送り込まれる。
【００４５】
次に、図２は、硬貨入金機の内部構造を示す正面図である。
【００４６】
硬貨入金処理部26のリジェクト孔69の下側には、選別されたリジェクト硬貨をリジェクト口28に案内するシュート77が配設されている。
【００４７】
硬貨入金処理部26の任意選別孔70および各金種別選別孔68の下側には、任意選別孔70および各金種別選別孔68で選別された硬貨をそれぞれ下方へ案内するシュート体78が配設されている。
【００４８】
なお、このシュート体78は、上述した硬貨入金機の第１の仕様と第２の仕様とで共用されるため、任意選別孔70で選別された１円および５円硬貨を案内するシュート部79と、４金種（５０円、１００円、１０円および５００円）の各金種別選別孔68で選別された硬貨を案内するシュート部79を含む６金種分のシュート部79とが一体に形成されている。そのため、第１の仕様の硬貨入金機では、６金種分のシュート部79のうち、４金種分の各金種別選別孔68で選別された硬貨を案内する４金種分のシュート部79のみが使用され、残りの２金種分のシュート部79は使用されない。
【００４９】
シュート体78の下方には、任意選別孔70および各金種別選別孔68で選別されるとともにシュート体78の各シュート部79で案内されてくる硬貨をそれぞれ一時保留する一時保留部81が配設されている。これら各一時保留部81は、上下方向に開口した保留筒82を有するとともに、この保留筒82の底面を開閉する底板83を有している。これら保留筒82および底板83は、機体11の前後方向に対してそれぞれ反対方向に連動駆動されるように構成されており、保留筒82がシュート体78のシュート部79の下方に位置するとともに底板83で保留筒82の底面を閉塞した位置を、硬貨を一時保留する一時保留位置とし、また、保留筒82が前方へ、底板83が後方へ移動した位置を、一時保留硬貨を返却部31へ放出する返却放出位置とし、さらに、保留筒82が後方へ、底板83が前方へ移動した位置を、一時保留硬貨を混合収納部36および金種別収納部37側へ放出する収納放出位置とする。
【００５０】
なお、一時保留部81は、上述した硬貨入金機の第１の仕様と第２の仕様とで共用されるため、任意選別孔70で選別された１円および５円硬貨を一時保留する一時保留部81と、４金種（５０円、１００円、１０円および５００円）の各金種別選別孔68で選別された硬貨を一時保留する４金種分の一時保留部81を含む６金種分の一時保留部81とが一体的に形成されている。そのため、第１の仕様の硬貨入金機では、６金種分の一時保留部81のうち、４金種分の各金種別選別孔68で選別された硬貨を一時保留する４金種分の一時保留部81のみが使用され、残りの２金種分の一時保留部81は使用されない。
【００５１】
各一時保留部81の保留筒82が収納放出位置に移動した際の保留筒82の下方には、各一時保留部81から放出される一時保留硬貨を、混合収納部36および金種別収納部37へそれぞれ案内するシュート体85が配設されている。このシュート体85は、図２および図５に示すように、上述した第１の仕様の硬貨入金機の専用品であり、硬貨を案内するシュート部86として、任意選別孔70で選別されて一時保留部81から収納側に放出される１円および５円硬貨を混合収納部36へ案内するシュート部86（1，5）と、４金種（５０円、１００円、１０円および５００円）の各金種別選別孔68で選別されて一時保留部81から収納側に放出される硬貨を各金種別収納部37へ案内するシュート部86（50），86（100），86（10），86（500）とが一体に形成されている。
【００５２】
１００円および１０円硬貨用のシュート部86（100），86（10）には、１００円および１０円硬貨用としてそれぞれ２つずつ用いられる各金種別収納部37（100），37（10）に硬貨を振り分ける振分手段87が配設されている。この振分手段87では、シュート部86（100），86（10）の下部側がそれぞれ２つずつ用いられる各金種別収納部37（100），37（10）に硬貨を案内可能とするように２方向のシュート通路に分岐形成され、その分岐箇所に硬貨を案内するシュート通路を切り換える切換板88が配設されている。切換板88は、下部の揺動軸89を支点としてシュート部86（100），86（10）内で揺動可能とし、図示しないソレノイドやモータなどの切換駆動部によってシュート通路を切り換える。
【００５３】
また、図示していないが、混合収納部36および各金種別収納部37が装着される機体11の装着部34，35には、装着部34，35に装着された混合収納部36および各金種別収納部37を電気的駆動によりロック動作およびロック動作の解除を可能とする電気的ロック手段、混合収納部36および各金種別収納部37の装着を検知する装着検知手段、混合収納部36および各金種別収納部37の収納袋に収納された硬貨量を直接検知する硬貨量検知手段などが配設されている。また、装着部35には、各金種別収納部37に収納袋が取り付けられているか否かを検知する収納袋検知手段が配設されており、装着部35に装着された金種別収納部37に収納袋が取り付けられていないと硬貨の収納ができないため、収納袋検知手段が金種別収納部37の装着を検知する装着検知手段の一部を構成している。
【００５４】
また、硬貨入金機を制御する制御部を備えている。この制御部は、識別部63の識別結果に基づいて各一時保留部81に一時保留される硬貨の枚数を計数する機能、混合収納部36および各金種別収納部37に所定量の硬貨が収納されたことを検知する機能などを備えている。この混合収納部36および各金種別収納部37に所定量の硬貨が収納されたことを検知する機能は、識別部63の識別結果に基づいて混合収納部36および各金種別収納部37に収納された硬貨の枚数を計数した計数値と、混合収納部36および各金種別収納部37に収納された硬貨量を硬貨量検知手段で直接検知した検知信号とが用いられる。
【００５５】
また、各金種別収納部37に硬貨を収納する枚数は、計数モードを選択することにより設定可能としている。この計数モードとしては、各金種別収納部37の収納袋に満杯となる硬貨量の硬貨が収納されたことを硬貨量検知手段で検知するまで収納するフルモードと、予め決められた枚数まで収納する小袋モード、中袋モードおよび大袋モードと、任意に指定される任意バッチ枚数になるまで収納する任意バッチモードとがある。小袋モード、中袋モードおよび大袋モードは、例えば、１０円、５０円、１００円硬貨の各金種別収納部37の場合には１０００枚、２０００枚、４０００枚とし、５００円硬貨の金種別収納部37の場合には５００枚、１０００枚、２０００枚とする。また、混合収納部36については、任意バッチモードは設定できず、任意バッチモード以外のいずれの計数モードを設定しても、例えば、１円硬貨と５円硬貨の混合で１０００枚とする。
【００５６】
また、一時保留部81に所定量の硬貨が収納された場合の収納処理方法を設定する自動収納設定があり、この自動収納設定が設定されていれば一時保留部81に所定量の硬貨が収納された場合に制御部から収納指示が自動的に出て一時保留硬貨を自動的に収納し、また、設定されていなければ一時保留部81に所定量の硬貨が収納された場合に入金処理を停止し、承認による収納指示または不承認による返却指示を確認する。
【００５７】
次に、本実施の形態の硬貨入金機（第１の仕様の硬貨入金機）の作用を説明する。
【００５８】
硬貨を入金しようとする担当者は、ＩＤ入力手段18にカードまたはキー入力で担当者情報を入力する。この担当者情報の入力が受け付けられたら、硬貨入金機の入金処理が可能となる。
【００５９】
硬貨入金機の入金処理が可能となったら、硬貨入金機のシャッタ24を開き、硬貨を硬貨投入口22に投入する。
【００６０】
硬貨投入口22に投入された硬貨を硬貨入金処理部26の供給円盤42上に受け入れ、硬貨入金処理部26による入金処理を開始する。供給円盤42の回転によって硬貨を繰出円盤43に適量ずつ供給し、この繰出円盤43の回転によって硬貨を１層１列状態で硬貨通路44へ繰り出す。
【００６１】
硬貨通路44に繰り出した硬貨は、硬貨識別通路52内を搬送して識別部63で識別し、硬貨選別通路53へ搬送する。
【００６２】
識別部63でリジェクト硬貨を識別すると、そのリジェクト硬貨がタイミングセンサ65を通過するタイミングに応じてリジェクト選別手段66が動作し、そのリジェクト硬貨をリジェクト孔69に排除し、シュート77を通じてリジェクト口28に返却する。
【００６３】
識別部63で正常な１円硬貨または５円硬貨を識別すると、その１円硬貨または５円硬貨がタイミングセンサ65を通過するタイミングに応じて任意選別手段67が動作し、その１円硬貨または５円硬貨を任意選別孔70に排除し、シュート体78の各シュート部79を通じて一時保留位置にある一時保留部81に一時保留する。
【００６４】
識別部63で正常な５０円、１００円、１０円および５００円硬貨を識別すると、それら硬貨が動作しない任意選別手段67上を通過し、それら硬貨を硬貨選別通路53の金種別選別孔68で硬貨径に応じて金種別に選別し、シュート体78のシュート部79を通じて一時保留位置にある各一時保留部81に一時保留する。
【００６５】
各一時保留部81に一時保留した硬貨の枚数は、識別部63の識別結果から制御部の計数機能で計数する。
【００６６】
そして、ある種類の一時保留部81に一時保留した硬貨の枚数が満杯となる所定量に達すると、硬貨入金処理部26による入金処理を一旦中止する。
【００６７】
このとき、自動収納設定が設定されていない場合には、一時保留した硬貨の識別結果をディスプレイ部20に表示し、担当者により操作部16で承認による収納指示または不承認による返却指示が入力されるのを待機する。
【００６８】
入金不承認で返却指示がなされたときには、一時保留部81を返却放出位置に移動させ、一時保留硬貨を一括して返却部31内の返却箱に収納させる。その後、担当者により、返却部31を機体11から引き出し、返却部31から返却箱を上方に取り出すことにより、返却された硬貨を取り出すことができる。
【００６９】
入金承認で収納指示がなされたときには、一時保留部81を収納放出位置に移動させ、一時保留硬貨をシュート体85の各シュート部86を通じて混合収納部36および各金種別収納部37に収納する。混合収納部36および各金種別収納部37に収納した硬貨の枚数は制御部の計数機能で計数する。
【００７０】
一方、自動収納設定が設定されていた場合には、制御部から収納指示が自動的に出て、一時保留部81を収納放出位置に自動的に移動させ、一時保留硬貨をシュート体85の各シュート部86を通じて混合収納部36および各金種別収納部37に収納する。混合収納部36および各金種別収納部37に収納した硬貨の枚数は制御部の計数機能で計数する。
【００７１】
そして、一時保留部81の一時保留硬貨の収納または返却後、一時保留部81を一時保留位置に戻し、混合収納部36および各金種別収納部37が満杯になっていなければ、硬貨入金処理部26による入金処理を再開する。
【００７２】
また、２つずつの金種別収納部37を有する１００円および１０円硬貨をそれぞれ収納する場合、振分手段87でいずれか一方の金種別収納部37に振り分けて収納する。
【００７３】
また、１００円および１０円硬貨用の金種別収納部37において、計数モードがフルモードのときに金種別収納部37に収納された硬貨が満杯となる硬貨量に達したことが硬貨量検知手段で検知された場合、あるいは小袋モード、中袋モード、大袋モード、任意バッチモードのときに、金種別収納部37に収納された硬貨の枚数が設定された枚数に達したことが制御部の計数機能で計数された場合、硬貨の収納先を他方の金種別収納部37に切り換える。
【００７４】
このとき、他方の金種別収納部37が装着されていることが検知されているとともにこの金種別収納部37に収納袋の装着されていることが検知され、かつ他方の金種別収納部37に既に所定量の硬貨が収納されていて回収待ちとなっていないことを条件に、振分手段87で硬貨の収納先を他方の金種別収納部37に切り換える。そして、振分手段87で硬貨の収納先を他方の金種別収納部37に切り換えることにより、入金処理を中断せずに、硬貨入金処理部26による入金処理を継続できる。この入金処理と並行して一方の金種別収納部37からの硬貨の回収処理が可能となり、他方の金種別収納部37に所定量の硬貨が収納されるまでの間に一方の金種別収納部37からの硬貨の回収処理が完了すれば、続けて他方の金種別収納部37に所定量の硬貨が収納されても入金処理を中断せず、継続できる。
【００７５】
切換条件を満たさない場合には、硬貨入金処理部26による入金処理を一時停止し、一方の金種別収納部37の回収待ちとなる。
【００７６】
また、混合収納部36や、１００円および１０円硬貨以外の金種別収納部37において、計数モードがフルモードのときに混合収納部36や金種別収納部37に収納された硬貨が満杯となる硬貨量に達したことが硬貨量検知手段で検知した場合、あるいは小袋モード、中袋モード、大袋モード、任意バッチモードのときに、混合収納部36や金種別収納部37に収納された硬貨の枚数が設定された枚数に達したことが制御部の計数機能で計数された場合、硬貨入金処理部26による入金処理を一時停止し、混合収納部36や金種別収納部37の回収待ちとなる。
【００７７】
そして、回収待ちとなった混合収納部36や金種別収納部37がある場合、始めに入力された担当者情報から回収権限のある担当者である場合には、担当者が操作部16で適正な暗証番号を入力することにより、回収待ちとなった混合収納部36や金種別収納部37の電気的ロック手段によるロックを解除し、プリンタ部19でジャーナルを印字出力する。ジャーナルには、金種、枚数、ロック解除時刻（月、日、時、分）、担当者情報などを印字する。
【００７８】
回収待ちとなっている混合収納部36や金種別収納部37に対応して、表示部40が点灯表示するとともに、ディスプレイ部20で表示する。そのため、回収待ちとなっている混合収納部36や金種別収納部37の場所を容易に特定できる。
【００７９】
混合収納部36から硬貨を回収する場合、混合収納部36を機体11の装着部34から引き出し、例えば、別の収納袋に移し替えるとともにその収納袋に印字出力されたジャーナルを添付する。その後、混合収納部36を機体11の装着部34に押し込み装着する。混合収納部36を装着部34の所定位置に装着したことを装着検知手段で検知すると、電気的ロック手段により混合収納部36を自動的にロックする。
【００８０】
金種別収納部37から硬貨を回収する場合、該当する金種別収納部37を機体11の装着部35から引き出し、硬貨が収納された収納袋を金種別収納部37から降ろし、収納袋の口部を閉じるとともにその収納袋に印字出力されたジャーナルを添付する。その後、硬貨未収納の収納袋を金種別収納部37に装着し、この金種別収納部37を機体11の装着部35に押し込み装着する。金種別収納部37を装着部35の所定位置に装着したことを装着検知手段で検知すると、電気的ロック手段により金種別収納部37を自動的にロックする。
【００８１】
そして、混合収納部36または金種別収納部37の装着を検知すると、入金処理が停止されていた場合には、入金処理を再開する。
【００８２】
また、例えば、識別部63で硬貨を所定時間検知しなくなったことから、硬貨投入口22に投入された全ての硬貨について一時保留までの入金処理が完了したことを検知すれば、上述したように担当者による入金承認の確認、または一時保留部81に一時保留した硬貨を自動収納する。
【００８３】
このように、複数の特定金種である１円および５円硬貨は、任意選別手段67で選別し、一時保留部81で混合保留するとともに、混合収納部36で混合収納するため、複数の特定金種である１円および５円硬貨の一時保留場所および収納場所を１つにまとめることができ、機体11内でのスペース効率が向上して小形化あるいは大容量化でき、また、複数の特定金種以外の硬貨は、複数の金種別選別孔68で硬貨径に応じて選別するため、構成を簡素化でき、コストを低減できる。
【００８４】
特に、清涼飲料水やたばこなどの自動販売機などからの回収硬貨を入金処理するような場所では、回収硬貨の中に１円および５円硬貨は通常含まれていないため、このような場所での運用に適した硬貨入金機を提供できる。また、回収硬貨に１円および５円硬貨が含まれている場合でも、これら１円および５円硬貨を混合収納部36に収納でき、１円および５円硬貨についても入金処理ができる。
【００８５】
しかも、混合収納部36を複数の金種別収納部37に比べて小形に設けるため、よりスペース効率が向上して小形化できる。また、機体11の一側の架台部12のスペースを有効利用して混合収納部36を配置でき、硬貨入金機を小形化できる。
【００８６】
なお、複数の特定金種には、１円および５円硬貨の他、旧硬貨や記念硬貨を含んでもよく、この場合、旧硬貨および記念硬貨を他の硬貨と区別して収納できる。
【００８７】
次に、図６に硬貨入金機の第２の仕様の場合に用いられる硬貨入金処理部26の平面図を示し、図７に硬貨入金機の第２の仕様の場合に用いられるシュート体85の断面図を示す。
【００８８】
この第２の仕様の硬貨入金機では、混合収納部36を複数の特定金種の硬貨用とするとともに、金種別収納部37を１円、５０円、５円、１００円、１０円および５００円硬貨の６金種用とする。
【００８９】
そのため、図６に示すように、硬貨入金処理部26の任意選別手段67では、例えば、旧硬貨および記念硬貨などの任意に設定される複数の特定金種の硬貨を選別し、また、硬貨選別通路53には、搬送方向の上流側から下流側に向けて小径硬貨から大径硬貨の順に、１円硬貨を選別する金種別選別孔68（1）、５０円硬貨を選別する金種別選別孔68（50）、５円硬貨を選別する金種別選別孔68（5）、１００円硬貨を選別する金種別選別孔68（100）、１０円硬貨を選別する金種別選別孔68（10）、５００円硬貨を選別する金種別選別孔68（500）が形成されている。
【００９０】
シュート体78および一時保留部81はそれぞれ６金種対応であるため、第１の仕様と共通に用いられる。
【００９１】
図７に示すように、シュート体85には、６金種対応の各一時保留部81から放出される硬貨を対応する各金種別収納部37に案内するためにシュート部86（ｘ），86（1），86（50），86（5），86（100），86（10），86（500）が形成されている。シュート部86（ｘ）は特定金種用である。
【００９２】
そして、硬貨入金機の第１の仕様と第２の仕様とは、構造的には硬貨入金処理部26およびシュート体85を変えるだけで容易に対応でき、ソフト的には両仕様ソフトを備えていていずれか一方を選択設定するようにすれば容易に対応できる。
【００９３】
そのため、第１の仕様と第２の仕様の硬貨入金機を容易に製作でき、また、たとえ硬貨入金機の運用場所であっても、第２の仕様から第１の仕様に容易に変更でき、逆に、第１の仕様から第２の仕様に容易に変更できる。
【００９４】
なお、任意選別手段67で選別して混合収納部36に収納する複数の特定金種としては、１円硬貨、５円硬貨、旧硬貨、記念硬貨などに限らず、硬貨入金機の運用場所での入金処理のない金種や少ない金種に応じて、１０円、５０円、１００円および５００円硬貨を含むようにしてもよい。
【図面の簡単な説明】
【００９５】
【図１】本発明の一実施の形態を示す硬貨入金機（第１の仕様）の斜視図である。
【図２】同上硬貨入金機の内部構造を示す正面図である。
【図３】同上硬貨入金機の硬貨入金処理部の平面図である。
【図４】同上硬貨入金機の任意選別手段を示し、(a)は硬貨を通路下流側へ送る状態の平面図、(b)は硬貨を通路下流側へ送る状態の断面図、(c)は硬貨を選別する状態の平面図、(d)は硬貨を選別する状態の断面図である。
【図５】同上硬貨入金機のシュート体の断面図である。
【図６】同上硬貨入金機の第２の仕様の場合に用いられる硬貨入金処理部の平面図である。
【図７】同上硬貨入金機の第２の仕様の場合に用いられるシュート体の断面図である。
【符号の説明】
【００９６】
11    機体
12    架台部
36    混合収納部
37    金種別収納部
53    選別部としての硬貨選別通路
63    識別部
67    任意選別手段
68    金種別選別孔
81    一時保留部
【図１】
2008299406.tif 000003
【図２】
2008299406.tif 000004
【図３】
2008299406.tif 000005
【図４】
2008299406.tif 000006
【図５】
2008299406.tif 000007
【図６】
2008299406.tif 000008
【図７】
2008299406.tif 000009